(57)【要約】【課題】各運転モードに応じて送風ケーシングを最適位置に移動させることで、快適性を向上させた空気調和機を提供すること。【解決手段】空気調和機本体の内部に、送風流路１１を形成する送風ケーシング１を備え、前記送風ケーシング１を回動させることで、冷房運転時の吹出し方向と暖房運転時の吹出し方向とを変更する構成としたことを特徴とするもので、これにより、冷風は略水平方向に、温風は略下方向に確実に送風できるため、運転モードに適した風向制御を実現でき、快適性を向上させた空気調和機を提供できる。【選択図】図１
2007278601.tif 000002
【特許請求の範囲】
【請求項１】
空気調和機本体の内部に、送風流路を形成する送風ケーシングを備え、前記送風ケーシングを回動させることで、冷房運転時の吹出し方向と暖房運転時の吹出し方向とを変更する構成としたことを特徴とする空気調和機。
【請求項２】
空気調和機本体の内部に送風ファンを設け、送風ケーシングは前記送風ファンの回転中心と同軸で駆動するように構成したことを特徴とする請求項１に記載の空気調和機。
【請求項３】
送風ケーシングの両側にファンケース側板を設け、前記ファンケース側板の一部を、前記送風ケーシングの回動中心と同軸の円弧形状に形成したことを特徴とする請求項１に記載の空気調和機。
【請求項４】
空気調和機本体の内部に熱交換器を設け、前記熱交換器を構成している端板の一部を、送風ケーシングの回動中心と同軸の円弧形状に形成したことを特徴とする請求項３に記載の空気調和機。
【請求項５】
空気調和機本体の外郭面に、送風ケーシングの冷房運転時の吹出し口の位置及び暖房運転時の吹出し口の位置のそれぞれに対向するように、開口部と前記開口部を閉塞する蓋を複数設けたことを特徴とする請求項１に記載の空気調和機。
【請求項６】
開口部および前記開口部を閉塞する蓋を、空気調和機本体の外郭面の上下方向に複数設けるとともに、冷房運転時には、送風ケーシングの吹出し口の位置が開口部に対向するように、前記送風ケーシングを上方向へ回動移動し、前記上方側の開口部の蓋を開くとともに、前記下方側の開口部の蓋は閉塞状態になるように動作させることを特徴とする請求項５に記載の空気調和機。
【請求項７】
それぞれに対向するように設けた開口部および前記開口部を閉塞する蓋を、空気調和機本体の外郭面の上下方向に複数設けるとともに、暖房運転時には、送風ケーシングの吹出し口の位置が開口部に対向するように、前記送風ケーシングを下方向へ回動移動し、前記下方側の開口部の蓋を開くとともに、前記上方側の開口部の蓋は閉塞状態になるように動作させることを特徴とする請求項５に記載の空気調和機。
【発明の詳細な説明】
【技術分野】
【０００１】
本発明は、室内の冷暖房を行う空気調和機に関する。
【背景技術】
【０００２】
従来、上下風向制御板を上羽根と下羽根で構成し、上羽根と下羽根とをともに下方向に向けるとともに、上羽根を下羽根との平行位置より更に下方向に向け、下羽根を上羽根との平行位置より更に上方向に向けるようにした空気調和機がある（例えば、特許文献１参照）。
【０００３】
しかし、この空気調和機では、縮流効果により温風の風速を増し、速やかに床面付近の温度を上昇させることはできるが、冷房時には、冷風を部屋の遠方まで運びにくく、室内の居住者に冷風が直接あたって肌寒さを感じさせるという課題を有していた。
【０００４】
そこで本発明者らは、冷房時には気流感のない、暖房時には頭寒足熱の快適な住環境を創り出す空気調和機の風向制御装置を既に提案している（例えば、特許文献２参照）。
【０００５】
特許文献２で提案した空気調和機は、空気調和機の吹き出し口に、変動可能な腕部を介して上下方向の風向を制御する風向変更羽根を具備したものである。そしてこの構成によれば、変化に富んだ気流を生成することができる。
【特許文献１】特開平５−６０３６５号公報
【特許文献２】特開２００２−３１４００号公報
【発明の開示】
【発明が解決しようとする課題】
【０００６】
しかし、特許文献２で提案した空気調和機では、運転モードに応じた風向変更羽根の最適位置を提案するものでなく、風量の低下等により快適性を損なう可能性がある。
【０００７】
そこで本発明は、各運転モードに応じて送風ケーシングを最適位置に移動させることで、快適性を向上させた空気調和機を提供することを目的とする。
【課題を解決するための手段】
【０００８】
上記課題を解決するために本発明の空気調和機は、空気調和機本体の内部に、送風流路を形成する送風ケーシングを備え、前記送風ケーシングを回動させることで、冷房運転時の吹出し方向と暖房運転時の吹出し方向とを変更する構成としたことを特徴とするもので、冷房運転モードで、冷風を部屋の水平方向または略上方へ運ぶことができ、従って部屋の下方に溜まりやすい冷たい空気が、部屋の水平方向あるいは略上方向へ送られるため、使用者に冷風感を与えることなく、効果的に冷房運転ができ、部屋を効率的に冷やすことができる。
【０００９】
同時に、暖房運転モードで、温風を部屋の水平方向または略下方へ運ぶことができ、従って部屋の上方に溜まりやすい暖かい空気が、部屋の水平方向あるいは略下方向へ送られるため、使用者に冷風感を与えることなく、効果的に暖房運転ができ、部屋を効率的に暖めることができる。
【発明の効果】
【００１０】
本発明によれば、各運転モードに応じて送風ケーシングを最適位置に移動させることで、快適性を向上させた空気調和機を提供できる。
【発明を実施するための最良の形態】
【００１１】
本発明の第１の発明は、空気調和機本体の内部に、送風流路を形成する送風ケーシングを備え、前記送風ケーシングを回動させることで、冷房運転時の吹出し方向と暖房運転時の吹出し方向とを変更する構成としたことを特徴とするもので、冷房運転モードで、冷風を部屋の水平方向または略上方へ運ぶことができ、従って部屋の下方に溜まりやすい冷たい空気が、部屋の水平方向あるいは略上方向へ送られるため、使用者に冷風感を与えることなく、効果的に冷房運転ができ、部屋を効率的に冷やすことができる。
【００１２】
同時に、暖房運転モードで、温風を部屋の水平方向または略下方へ運ぶことができ、従って部屋の上方に溜まりやすい暖かい空気が、部屋の水平方向あるいは略下方向へ送られるため、使用者に冷風感を与えることなく、効果的に暖房運転ができ、部屋を効率的に暖めることができる。
【００１３】
本発明の第２の発明は、空気調和機本体の内部に送風ファンを設け、送風ケーシングは前記送風ファンの回転中心と同軸で駆動するように構成したことを特徴とするもので、ファンと送風ケーシングの距離を一定に保つことができ、基本送風性能が確保できる。
【００１４】
本発明の第３の発明は、送風ケーシングの両側にファンケース側板を設け、前記ファンケース側板の一部を、前記送風ケーシングの回動中心と同軸の円弧形状に形成したことを特徴とするもので、送風ケーシングの回動動作をスムースに行うことができ、安定した回動動作が確保できる。
【００１５】
本発明の第４の発明は、空気調和機本体の内部に熱交換器を設け、前記熱交換器を構成している端板の一部を、送風ケーシングの回動中心と同軸の円弧形状に形成したことを特徴とするもので、端板とファンケース側板の勘合隙間を回動動作時に同一に保つことができ、隙間部分のシール性の安定化が図れる。
【００１６】
本発明の第５の発明は、空気調和機本体の外郭面に、送風ケーシングの冷房運転時の吹出し口の位置及び暖房運転時の吹出し口の位置のそれぞれに対向するように、開口部と前記開口部を閉塞する蓋を複数設けたことを特徴とするもので、冷房運転モードで、冷風を部屋の水平方向または略上方へ運ぶことができ、従って部屋の下方に溜まりやすい冷たい空気が、部屋の水平方向あるいは略上方向へ送られるため、使用者に冷風感を与えることなく、効果的に冷房運転ができ、部屋を効率的に冷やすことができる。
【００１７】
同時に、暖房運転モードで、温風を部屋の水平方向または略下方へ運ぶことができ、従って部屋の上方に溜まりやすい暖かい空気が、部屋の水平方向あるいは略下方向へ送られるため、使用者に冷風感を与えることなく、効果的に暖房運転ができ、部屋を効率的に暖めることができる。
【００１８】
また、運転モードに応じて開閉動作を制御でき、さらに停止時に開口部を全て塞ぐことにより、埃の浸入防止及び見栄えの向上を図ることができる。
【００１９】
本発明の第６の発明は、開口部および前記開口部を閉塞する蓋を、空気調和機本体の外郭面の上下方向に複数設けるとともに、冷房運転時には、送風ケーシングの吹出し口の位置が開口部に対向するように、前記送風ケーシングを上方向へ回動移動し、前記上方側の開口部の蓋を開くとともに、前記下方側の開口部の蓋は閉塞状態になるように動作させることを特徴とするもので、冷房運転モードで、冷風を部屋の水平方向または略上方へ運ぶことができ、従って部屋の下方に溜まりやすい冷たい空気が、部屋の水平方向あるいは略上方向へ送られるため、使用者に冷風感を与えることなく、効果的に冷房運転ができ、部
屋を効率的に冷やすことができる。
【００２０】
また、送風されていない開口部を塞ぐことにより、埃の浸入防止及び見栄えの向上を図ることができる。
【００２１】
本発明の第７の発明は、それぞれに対向するように設けた開口部および前記開口部を閉塞する蓋を、空気調和機本体の外郭面の上下方向に複数設けるとともに、暖房運転時には、送風ケーシングの吹出し口の位置が開口部に対向するように、前記送風ケーシングを下方向へ回動移動し、前記下方側の開口部の蓋を開くとともに、前記上方側の開口部の蓋は閉塞状態になるように動作させることを特徴とするもので、暖房運転モードで、温風を部屋の水平方向または略下方へ運ぶことができ、従って部屋の上方に溜まりやすい暖かい空気が、部屋の水平方向あるいは略下方向へ送られるため、使用者に冷風感を与えることなく、効果的に暖房運転ができ、部屋を効率的に暖めることができる。
【００２２】
また、送風されていない開口部を塞ぐことにより、埃の浸入防止及び見栄えの向上を図ることができる。
【００２３】
以下、本発明の実施の形態について、図面を参照しながら説明する。なお、この実施の形態によって本発明が限定されるものではない。
【００２４】
（実施の形態１）
以下、本発明の実施の形態について図面を参照して説明する。
【００２５】
図１は、本発明の一実施の形態による空気調和機の横断面図、図２は同空気調和機の正面図である。
【００２６】
空気調和機９は、その本体内部に熱交換器７と、送風ファン４と、水受け皿前５と、水受け皿後ろ６と、送風ケーシング１とを有している。熱交換器７は、送風ファン４の上流側に配置され、水受け皿前５は、熱交換器７の前側下端部に配置され、水受け皿後ろ６は、熱交換器７の後ろ側下端部に配置されている。送風ケーシング１は、送風ファン４の下流側の通風路を形成している。
【００２７】
空気調和機９は、その本体の前面と上面に吸込口１０を形成し、その本体の前面下部から下面にかけて吹出口１１を形成している。熱交換器７は、吸込口１０に対向する位置に配置され、送風ケーシング１の下流側端部に吹出口１１を構成する。
【００２８】
送風ケーシング１は、上下方向に回動可能な構成で、吹出し口の位置が上下方向に変更でき、吹出風の吹出し方向が上下方向に吹き分け可能になっている。さらに、送風ケーシング１は、送風ファン４のファン中心４ａと同軸で駆動するように構成している。
【００２９】
また、送風ケーシング１の両側に設けたケーシング側板１ａの一部を前記送風ケーシング１の回動中心を同軸とした円弧形状にしている。空気調和機９内部の熱交換器７を構成している端板８の端面８ａを前記送風ケーシング１の回動中心を同軸とした円弧形状にしている。
【００３０】
空気調和機９の外郭面には、送風ケーシング１の冷房運転時の吹出し口の位置及び暖房運転時の吹出し口の位置のそれぞれに合うように、上部開口部１２と下部開口部１３を設け、さらに上部開口部１２と上部開口部１３のそれぞれを閉塞する上蓋２と下蓋３を設けてある。なお、上蓋２は上部開口部１２の略下端に、下蓋３は下部開口部１３の略上端に回動支点を設け、回動自在に設けてある。
【００３１】
以下、動作を説明する。送風ケーシング１はファン中心４ａを中心として、矢印Ａの方向に上下方向に回転移動し、運転モードに応じて、送風ケーシング１の略水平吹出し位置又は略下吹出し位置になるよう制御している。さらに、略水平吹出し時は上蓋２が作動し、略下吹出し時は下蓋３が作動するように制御している。
【００３２】
なお、図示はしないが、空気調和機９には、左右方向風向変更羽根や熱交換温度検出器を有するとともに、圧縮機、膨張機、及び室外側熱交換器などを備えた室外ユニットを備えている。
【００３３】
図３は、本実施の形態における空気調和機９の冷房運転状態を示す横断面図である。まず、冷房運転モードに設定すると、送風ケーシング１の吹出し口が上部開口部１２に対向する位置まで移動し、略水平吹出し位置の設定となる。本実施の形態における略水平吹出しとは、吹出し空気を部屋の遠方まで運ぶ吹出しであり、主に冷風吹出しに利用する。
【００３４】
そして、上蓋２は回転移動し、送風ケーシング１が形成する送風流路１１下面の略延長線上に位置するよう設定する。また、前記下部開口部１３の下蓋３は閉塞状態になるように設定する。これにより、送風ケーシング１が形成する送風流路１１の下面を、上蓋２にて延長することで、略水平吹出しの冷風は、略下方向に流れることがなくなり、より確実に部屋の遠方まで送風することができる。また、前記下部開口部１３の下蓋３は閉塞状態になるので、下部開口部１３からの風洩れ防止を図ることができる。
【００３５】
図４は、本実施の形態における空気調和機９の暖房運転状態を示す横断面図である。まず、暖房運転モードに設定すると、送風ケーシング１の吹出し口が下部開口部１３に対向する位置まで移動し、略下吹出し位置の設定になる。本実施の形態における下方吹出とは、吹出空気を床面方向に運ぶ吹出であり、主に温風吹出（暖房運転モード）に利用する。
【００３６】
そして、下蓋３は回転移動し、送風ケーシング１が形成する送風流路１１上面の略延長線上に位置するよう設定する。また、前記上部開口部１２の上蓋２は閉塞状態になるように設定する。これにより、送風ケーシング１が形成する送風流路１１の上面を、下蓋３にて延長することで、略下吹出しの温風が、略上方向に流れることがなくなり、より確実に部屋の床面方向に送風することができる。また、上部開口部１２からの風洩れ防止を図ることができる。
【００３７】
次に図５は、空気調和機９の停止状態を示すもので、上蓋２、及び下蓋３は全て閉塞した状態にある。
【００３８】
以上、本実施の形態によれば、冷風は略水平方向に、温風は略下方向に確実に送風できるため、運転モードに適した風向制御を実現でき、快適性を向上させた空気調和機を提供できるものである。つまり、送風ケーシング１と上蓋２、及び下蓋３の位置関係により空気調和機の運転モードに適した風向制御を実現ものである。
【産業上の利用可能性】
【００３９】
本発明の空気調和機は、室内の冷暖房の他、除湿や除塵機能を有する空気清浄装置にも適用できる。
【図面の簡単な説明】
【００４０】
【図１】本発明の実施の形態１における空気調和機の横断面図
【図２】同空気調和機の正面図
【図３】同空気調和機の水平吹出状態を示す横断面図
【図４】同空気調和機の下方吹出状態を示す横断面図
【図５】同空気調和機の停止状態を示す横断面図
【符号の説明】
【００４１】
１  送風ケーシング
１ａ  ケーシング側板
２  上蓋
３  下蓋
４  送風ファン
４ａ  ファン中心
７  熱交換器
８  端板
８ａ  端板端面
９  空気調和機本体
１０  吸込口
１１  送風流路
１２  上部開口部
１３  下部開口部
【図１】
2007278601.tif 000003
【図２】
2007278601.tif 000004
【図３】
2007278601.tif 000005
【図４】
2007278601.tif 000006
【図５】
2007278601.tif 000007